(57)【要約】【課題】多面的に採用でき、種々の締付けに採用できる差込みばねクランプを提供する。【解決手段】２つの別個のばね脚（２、３）を有するＵ形やΩ形ばねと、矩形クランプ枠（４）を備え、該クランプ枠が四角形切欠き開口（５）と、クランプ枠の平面から折り曲げ出されたクランプ片（９）を有し、前記ばねの固定端（７、８）が前記切欠き開口に位置固定して配置され、両ばね脚の各ばね端が、クランプ枠のクランプ片と共に、接続すべき２つの導体心線（１１）および／又は平形プラグ（１２）に対する締付け領域（１０）を形成し、各ばね端が、導体心線を引っ掛け接触するための締付け縁（１５）として形成された中央の直線第１部分（２．２、３．２）と、締付け面（１６）を形成する湾曲された縁側第２部分（２．１、３．１）を有し、前記締付け面が締付け方向に前記締付け縁を越えて突出し、この結果平形プラグが圧力供給だけで接触できる。【選択図】図１
2007087951.tif 000002
【特許請求の範囲】
【請求項１】
２つの別個のばね脚（２、３）、従って２つのばね端を有するＵ形或いはΩ形ばねと、矩形クランプ枠（４）とを備え、該クランプ枠（４）が四角形切欠き開口（５）と、クランプ枠（４）の平面から折り曲げ出されたクランプ片（９）を有し、前記ばねの固定端（７、８）が前記切欠き開口（５）に位置固定して配置され、両ばね脚（２、３）の各ばね端が、クランプ枠（４）のクランプ片（９）と共に、接続すべき２つの導体心線（１１）および／又は平形プラグ（１２）に対する締付け領域（１０）を形成し、各ばね端が、導体心線（１１）を引っ掛け接触するための締付け縁（１５）として形成された中央の直線第１部分（２．２、３．２）と、締付け面（１６）を形成する湾曲された縁側第２部分（２．１、３．１）とを有し、前記締付け面（１６）が締付け方向に前記締付け縁（１５）を越えて突出し、この結果平形プラグ（１２）が圧力供給だけで接触できることを特徴とする差込みばねクランプ。
【請求項２】
ばね（２、３）がクランプ枠（４）の片側に固定され、クランプ枠（４）の反対側に、ばね（２、３）のばね端部分（２．１、２．２、２．３、３．１、３．２、３．３）が、クランプ片（９）の領域（１０）に可動的に配置されたことを特徴とする請求項１記載の差込みばねクランプ。
【請求項３】
接触片（９）がクランプ枠（４）の一部であることを特徴とする請求項２記載の差込みばねクランプ。
【請求項４】
接触片（９）が、導体接触面を形成すべく、クランプ枠（４）の長手方向に対し直角に折り曲げられたことを特徴とする請求項２又は３記載の差込みばねクランプ。
【請求項５】
クランプ枠（４）に二重ばねが装着され、該二重ばねが、分割されたばね端（２．１、２．２、２．３、３．１、３．２、３．３）を有することを特徴とする請求項１から４の１つに記載の差込みばねクランプ。
【請求項６】
請求項１から５の１つに記載の少なくとも１つの差込みばねクランプを備えることを特徴とするケース。
【発明の詳細な説明】
【技術分野】
【０００１】
本発明は、全般的に、差込みばねクランプに関する。
【背景技術】
【０００２】
差込みばねクランプは、特許文献１〜７で知られている。
【０００３】
差込みばねクランプは、例えば開閉器、電磁接触器或いは直列クランプに採用されている。かかる差込みばねクランプで、例えばケーブル結合具や心線被覆等の付属物が付いているか付いていない種々の横断面積と形状の個別導体が締付け固定される。
【０００４】
特許文献１で公知の差込みばねクランプは、２つの別個のばね脚、従って２つのばね端を持つＵ形ばねとクランプ枠を有し、該クランプ枠は、四角形切欠き開口と、クランプ枠の平面から折り曲げ出したクランプ片を備えている。ばねの固定端は切欠き開口に位置固定で配置され、両ばね脚の各ばね端は、クランプ枠のクランプ片と共に、接続すべき２本の導体心線に対し引っ掛け接触するための締付け領域を形成している。ばね端は、連続した締付け縁として形成されている。
【０００５】
特許文献２で、類似の差込みばねクランプが知られている。
【０００６】
特許文献７で公知の差込みばねクランプは、Ｖ形差込み締付けばね要素を備える。また該差込みばねクランプは、単一の基板として形成された第１脚と、脚長手方向の中央で分割された第２脚を有する。第２脚の両部分は、終端側が、一方で導体を締付け固定するための食い込み縁を備え、他方で折り曲げ片を備え、該折り曲げ片は、工具や操作手段で圧力を与えるべく設計され、かくして締付け固定導体を緩めるために用いられる。
【０００７】
しかし、通常の締付け特性を有する差込みばねクランプは、電気導体を確実に締付け固定するために採用でき、更に、一方では検査・試験のために、他方では特に多極接点を便利に接触および切り離しするために適用可能なことが望まれる。
【特許文献１】独国実用新案第２０２１０１０５号明細書
【特許文献２】独国実用新案第２０２０６７６３号明細書
【特許文献３】独国実用新案第２０３１３０４１号明細書
【特許文献４】欧州特許出願公開第０９０８９６５号明細書
【特許文献５】独国実用新案第８１３６０５４号明細書
【特許文献６】独国実用新案第２０３１２８６１号明細書
【特許文献７】独国特許第１２６１９２３号明細書
【発明の開示】
【発明が解決しようとする課題】
【０００８】
本発明の課題は、多面的に採用でき、従って種々の締付け目的に採用できる差込みばねクランプを提供することにある。
【課題を解決するための手段】
【０００９】
この課題は、請求項１の前文に記載の差込みばねクランプにおいて、本発明に基づき、請求項１の特徴部分により解決される。有利な実施態様を従属請求項に示す。
【発明の効果】
【００１０】
導体が操作手段でしか外せない差込みばねクランプで、導体を係止接触すべく、差込みばねクランプの一部として形成され締付け縁を備えたばね端の第１部分を設ける他に、ばね端の第２部分を締付け面付きに形成することで、接続すべき導体を圧縮固定するが、係止せず、引っ掛けず又は締め付けずに、接触することが可能となり、この結果解除手段や操作手段なしに、即ち導体に加わる引張り力だけで、差込みばねクランプから導体を所望通りに除去できる。その結果、１本又は数本の導体の、一方では確実な締付け結合が、他方では単純に解除可能な締付け結合が達成できる差込みばねクランプが得られる。
【００１１】
従って、上述の文献で知られた差込みばねクランプと異なり、例えば一時的に接続すべき導体に対し、締付け固定導体を緩めるための工具や操作手段は不要である。この差込みばねクランプの特性は、特に、多極構造の開閉器や電磁接触器を他の電気機器と組み合わせて便利に連結および切り離しを可能にするために利用され、また、例えば電圧測定等の試験目的のために、単純な導体締付け固定並びに容易な導体解除を可能にする。更に、抜け止め締付け箇所に加えて設けねばならない、電気機器接続端子に対する補助締付け箇所が不要となる。これは、本発明に基づく差込みばねクランプでは、前記両機能が場所を節約して満たされるからである。ばね端が導体を圧縮接触するための締付け面を有する第３部分を備えているとよい。この第３部分はばね端第１部分と同様に、ばね端の外側縦縁の部位に配置され、これにより、ばね端第１部分とばね端第３部分との間に、ばね端第２部分が存在する。この場合、例えば試験目的で接続すべき導体は、特に平形形状、即ち断面矩形を有し、ばね端第１部分とばね端第３部分との間隔にほぼ相当する導体幅を有し、従ってこの導体で導体接続が行われる。ばね端第２部分ないし中央部分は、その両側のばね端部分に対して窪まされ、その限りにおいて、特に、両外側ばね端部分間に挿入すべき丸棒導体に対して、永続的で強固な接続に適している。
【００１２】
ばね端が、操作手段、例えばドライバ、偏心レバー或いは押しボタンに対する操作突起としての第４部分を有するとよい。これにより、接触防護規則を維持した状態で、便利な導体解除が行える。
【００１３】
有利な実施態様では、ばね端の第１部分とばね端の少なくとももう１つの部分が共通の本体を有し、この結果別個のばねヒンジ接続部分が省かれ、コンパクトな構造が生ずる。
【００１４】
本体をクランプ枠の形に形成するとよい。これにより、唯一の部品で、ばねヒンジ接続部分とこれと反対側に位置する圧縮片又は接触片が生ずる。
【００１５】
ばねがクランプ枠の片側に固定され、クランプ枠の反対の側に、ばねのばね端部分が接触片の領域に可動的に配置され、該接触片がクランプ枠の一部であると良い。この結果クランプ枠が、導体を締付け固定するために必要な全ての構成要素を、非常にコンパクトな形状で提供する。
【００１６】
有利な実施態様では、接触片は、導体接触面を形成すべく、クランプ枠の長手方向に対して直角に折り曲げられ、この結果場合により生ずる導体の曲がりに伴う傾斜をも阻止する導体ガイドが生ずる。
【００１７】
クランプ枠が二重ばねを有し、該ばねが、各々分割されたばね端を備えた第１ばねと第２ばねを備えると良い。この場合、一方の締付けばねで、例えば引っ掛け締付け固定すべき丸棒導体が接続され、他方の締付けばねで、例えば圧縮だけで接触する平形テストプラグや平形電気機器プラグが接続される。
【発明を実施するための最良の形態】
【００１８】
以下図示の実施例を参照し、本発明および従属請求項に基づく有利な実施態様を詳細に説明するが、本発明はこれに限定されない。
【実施例１】
【００１９】
図１と２は、互いに別個の第１ばね要素２と第２ばね要素３を備えた差込みばねクランプ１を示す。両ばね要素２、３は各々ほぼＵ形或いはΩ形をなし、固定側が、クランプ枠４として形成された四角形切欠き開口５付きの矩形本体に配置され、図３におけるケース部分６によって位置固定されている。しかし、ばね要素２、３のばね端７、８は、クランプ枠４のスリット部分に挿入してもよく、その場合の固定は、はんだ付け法、溶接法、接合法等で行える。ばね要素２、３の固定箇所と反対の側に、クランプ枠４から切り起こしたクランプ片９が折り曲げによって形成され、該クランプ片９は導体接触体、従って導体を接触するための対向圧接部材として用いられる。クランプ枠４は一般に鋼板で作られ、これに対しばね要素２、３はばね鋼で形成される。
【００２０】
両ばね要素２、３は、自由端側、即ちクランプ片９の領域、従ってクランプ１の締付け領域１０において、複数の部分２．１、２．２、２．３、３．１、３．２、３．３に分割されている。この場合、両ばね要素２、３のばね端は、両側縦縁における延長部に各々湾曲突起２．１、２．３、３．１、３．３を有し、該湾曲突起２．１、２．３、３．１、３．３は滑り面を備えている。両突起２．１、２．３、３．１、３．３の凸側面、即ち外周面は接触片９に向いている。各ばね端は、両突起２．１、２．３、３．１、３．３間に中央部分２．２、３．２を有し、該部分２．２、３．２は、自由ばね脚の長手軸線において外側位置の突起２．１、２．３、３．１、３．３に対し窪んでいる。中央部分２．２、３．２は、突起２．１、２．３、３．１、３．３と比べ特にはっきりした食い込み縁を備え、切削法や打抜き法で形成される。有利な実施態様では、ばね端は、操作手段、例えばドライバに対する操作突起として、他の部分からずれた第４部分を有する。操作手段により第４部分に引張り又は圧縮力を与えた際、接触領域、特に中央部分２．２、３．２の接触領域が、少なくとも１つの接続済み導体を容易に緩めるように広げられる。従って、ばね端の種々の部分２．１〜２．３、３．１〜３．３は、異なった導体形状や導体断面積を持つ種々の導体を接触すべく、相対的にずらしたり、切除したり、折り曲げたりできる。
【００２１】
第１ばね要素２の場合、図示の丸棒導体の心線１１は、中央部分２．２の締付け縁に接触すべく、クランプ片９とばね端との間に挿入され、掛け止めされる。この場合、導体心線１１は、ばね端における互いに間隔を隔てられた両側部分２．１、２．３の内のり幅より小さな直径を有している。その隣で、クランプ片９とばね端との間に平形プラグ１２が挿入されている。このプラグ１２は、両側突起３．１、３．３間の間隔にほぼ相当した幅を有し、この結果平形プラグ１２は、ばね端の湾曲された両側接触面により、クランプ枠４との導電圧接接続を確立する。いずれの場合も、クランプ枠４は結合手段を介して、電流導体軌道の意味で、機器構成要素に結合される。
【００２２】
図３は、差込みばねクランプ１を断面図で示す。ここで、ばね要素２、３はケース部分６中に存在し、ケース部分６でその位置に保持されている。脚形ばね２、３の力と運動角は、導体を挿入していない場合、各可動ばね端が接触片９に接する程の大きさを持つ。上向き、即ちばね２、３の曲がり箇所の方向に、導体挿入開口１４が両脚形ばね２、３の長手方向に対し略平行に延び、この開口１４は締付け領域１０に開口している。
【００２３】
図４は、図３における構成要素の配置を示し、ここでは丸棒導体を挿入している。導体心線１１は、導体挿入開口１４の方向の引張り力に抗して、ばね要素２、３の締付け縁１５により確実に固定されている。締付け固定された導体心線１１に対するばね２、３の長脚の約３０〜６０°の傾斜角は、その際に生ずる係止作用に良好な影響を及ぼす。この際突起２．１、２．３、３．１、３．３がばね端を含めて、係止・接触縁１５が導体心線１１に接する迄、導体心線１１に沿って横に揺れ動くことは明白である。
【００２４】
図５は、平形導体や平形プラグ１２を備えた図３の構成要素の配置を示す。ここで、平形プラグ１２は、接触面１６で所望の接触位置が得られる迄、湾曲突起２．１、２．３、３．１、３．３より下に向かって挿入される。ばね２、３の接触端の幾何学形状に基づき、平形プラグ１２に対し望ましくない係止作用は生じない。このため平形プラグ１２は挿入方向と逆向きに労せずに再び引き抜ける。接触圧力は、勿論、ばね材料とばね寸法の選定で自ずと定まる。
【００２５】
多極形電気機器、特に電磁接触器、遮断器又は過負荷継電器等の開閉器の場合、例えば接続側毎に３つのナイフ接点が装備され、該各接点は個々に、電気機器に連結すべき据付け機器のコンセントに集結される。この開閉器では、コンセントへの接点の単純なはめ合いで、電気機器間の電気接続が簡単に実施できる。電気機器は接続端子にて、場合によっては機械的にも、例えば適当なトップハットレール（Hutschine）への載置により保持できる。従って電気的に切り離すべく、互いに接続された電気機器を引き離すだけで十分である。より詳しくは、所定の分解を行うべく、高い経費を伴って操作せねばならない接触ばねに作用する操作又は解除手段を必要としない。勿論、一般に個別電気機器や電気機器群にも、出力側に利用される個別導体も接続できる。この際、丸棒導体を工具で外さねばならず、平形導体から平形プラグが工具なしに引き抜けることが重要である。
【００２６】
上述した本発明は次のように要約できる。
【００２７】
多方面、従って種々の締付けに採用できる差込みばねクランプ２、３を作るべく、締付けばね２、３の幾つかに分割されたばね端の、剛性導体から付属品付き導体１１を引っ掛け接触するための締付け縁１５を有する部分２．２、３．２の他に、別の導体１２を滑り接触するための締付け面１６を備えたばね端部分２．１、２．３を形成できる。
【図面の簡単な説明】
【００２８】
【図１】丸棒導体と平形導体を締付け固定した本発明による差込みばねクランプの斜視図。
【図２】図１の差込みばねクランプを異なる方向から見た斜視図。
【図３】ケース部分内に配置された図１の差込みばねクランプの、導体を締付け固定していない状態の側面図。
【図４】図２の差込みばねクランプの、丸棒導体が締付け固定された状態の側面図。
【図５】図２の差込みばねクランプの、平形導体が締付け固定された状態の側面図。
【符号の説明】
【００２９】
１  差込みばねクランプ、２  ばね脚、３  ばね脚、４  クランプ枠、５  切欠き開口、９  クランプ片、１０  接触片の領域、１１  導体心線、１２  平形プラグ、１５  締付け縁、１６  締付け面
【図１】
2007087951.tif 000003
【図２】
2007087951.tif 000004
【図３】
2007087951.tif 000005
【図４】
2007087951.tif 000006
【図５】
2007087951.tif 000007